(57)【特許請求の範囲】
【請求項１】
管状部材と、
前記管状部材よりも剛性が小さく、前記管状部材に固定され、前記管状部材の一方の先端から前記管状部材の延長方向に突出するシート状部材と、
を有し、
前記シート状部材は、
その一部が前記管状部材の内壁面に固定され、前記管状部材の延長方向に突出して延び、前記管状部材の先端と前記シート状部材とによって空間が形成されるように折り返され、延びた先の部分が前記管状部材の外壁面に固定されることを特徴とするバスレフポート。
【請求項２】
開口が設けられたエンクロージャと、
前記エンクロージャ内に配置されて前記開口の周縁に一端が固定されたバスレフポートと、を有する音響装置であって、
前記バスレフポートは、
管状部材と、
前記管状部材よりも剛性が小さく、前記管状部材に固定され、前記管状部材の一方の先端から前記管状部材の延長方向に突出するシート状部材と、
を有し、
前記シート状部材は、
その一部が前記管状部材の内壁面に固定され、前記管状部材の延長方向に突出して延び、前記管状部材の先端と前記シート状部材とによって空間が形成されるように折り返され、延びた先の部分が前記管状部材の外壁面に固定されることを特徴とする音響装置。
【発明の詳細な説明】
【技術分野】
【０００１】
この発明は、バスレフポートおよびバスレフスピーカ等の音響装置に関する。
【背景技術】
【０００２】
スピーカユニットから背面側に放射される音を利用して低音域の音量を増強するバスレフスピーカが従来から提案されている。バスレフスピーカでは、筐体（エンクロージャ）の内部と外部とを連通させるバスレフポートが設置される。バスレフスピーカでは、バスレフポートから異音（ノイズ）が発生する。そこで、バスレフポートから発生する異音を低減する技術が種々提案されている。
【０００３】
特許文献１には、バスレフポートの少なくとも一方の開口部にガラスウールなどの吸音材を取り付けたスピーカシステムが開示されている。この技術では、吸音材によりバスレフポートの開口部における空気の渦の発生が抑制されて異音が小さくなる、と言われている。
【０００４】
特許文献２には、バスレフポートにおける筐体に固定される端とは反対側端であって、どこにも固定されていない端（以下、自由端という）にウレタンなどの緩衝材を設けたスピーカ用位相反転型キャビネットが開示されている。この技術では、バスレフポートの自由端での振動が起こり難くなって異音が小さくなる、と言われている。
【先行技術文献】
【特許文献】
【０００５】
【特許文献１】実開昭５６−６３１８２号公報
【特許文献２】実開昭５８−１７３９８９号公報
【発明の概要】
【発明が解決しようとする課題】
【０００６】
しかし、特許文献１および２の技術を用いても、バスレフポート内に空気が流れることでバスレフポートから発生する異音を十分に低減することができなかった。
【０００７】
この発明は以上のような事情に鑑みてなされたものであり、バスレフポート内に空気が流れることで発生する異音を低減することを目的とする。
【課題を解決するための手段】
【０００８】
この発明は、壁面の少なくとも一部の剛性を他の部分よりも小さくしたことを特徴とするバスレフポートを提供する。また、このバスレフポートを備えた音響装置を提供する。
【０００９】
バスレフポートに空気が流れる際、エンクロージャ内（バスレフポート外）やバスレフポート内に圧力の分布が生じ、バスレフポート内外に空気の圧力差が生じる。この発明によるバスレフポートでは、壁面における剛性の小さい部分が空気の圧力差に応じて動く。その結果、バスレフポート（特にバスレフポートの壁面の剛性の小さい部分）が変形する。空気の圧力差に応じてバスレフポートが変形すると、剛性の小さい部分における内壁面の形が各位置および各瞬間でランダムに変化することとなる。これにより、バスレフポートの内壁面近傍の空気の流速分布が乱れ、渦が発生する位置やタイミングがランダムに変化する。渦が発生する位置やタイミングが集中せずに分散されるため、本バスレフポートでは、渦が成長するのを抑えることができ、渦に起因して発生する異音を低減することができる。すなわち、本バスレフポートを備えた音響装置によれば、バスレフポート内に空気が流れることで発生する異音を低減することができる。
【００１０】
特許文献１の技術では、バスレフポートに吸音材を取り付けており、特許文献２の技術では、バスレフポートに緩衝材を取り付けていた。これら特許文献１および２の技術は、バスレフポートを変形させるものではなく、渦が発生する位置やタイミングを分散させることができない。これに対して、本バスレフポートでは、上述のように渦が発生する位置やタイミングを分散させることができ、渦が成長するのを抑えることができる。このため、本バスレフポートによれば、特許文献１および２のバスレフポートに比べ、バスレフポート内に空気が流れることでバスレフポートから発生する異音を十分に低減することができる。
【００１１】
また、特許文献１および２の技術では、渦が発生する位置やタイミングを分散させることができないため、仮に異音が低減されるとしても、吸音材や緩衝材の材料特性や設置位置に応じた特定の周波数の音のみが低減される。これに対して、本バスレフポートでは、渦が発生する位置やタイミングが、時々刻々と変化する空気の圧力差に応じて動的に変化する。例えば、ある時刻では、バスレフポートの端部における中央寄りの位置で渦が発生し、それとは異なる別の時刻では、バスレフポートの端部における開口端寄りの位置で渦が発生する、という具合である。バスレフポートの端部における中央寄りの位置の渦に起因する音の周波数と、バスレフポートの端部における開口端寄りの位置の渦に起因する音の周波数は異なる。このように、本バスレフポートでは、渦の発生位置やタイミングが分散されるため、特定の位置やタイミングに渦の発生が集中することに起因する異音が顕著になることはなく、連続スペクトルのような所定の周波数範囲の複数の周波数の異音を低減することができる。この点からも、本バスレフポートによれば、特許文献１および２のバスレフポートに比べ、バスレフポート内に空気が流れることでバスレフポートから発生する異音を十分に低減することができる。
【図面の簡単な説明】
【００１２】
【図１】この発明の第１実施形態であるバスレフポート３０を含む音響装置１の構成を示す断面図である。
【図２】バスレフポート３０の構成を示す断面図である。
【図３】バスレフポート３０の構成を示す側面図である。
【図４】この発明の第２実施形態であるバスレフポート３０Ａを含む音響装置１Ａのバスレフポート３０Ａ部分の構成を示す断面図である。
【図５】この発明の第３実施形態であるバスレフポート３０Ｂを含む音響装置１Ｂのバスレフポート３０Ｂ部分の構成を示す断面図である。
【図６】この発明の第４実施形態であるバスレフポート３０Ｃを含む音響装置１Ｃのバスレフポート３０Ｃ部分の構成を示す断面図である。
【図７】この発明の第５実施形態であるバスレフポート３０Ｄを含む音響装置１Ｄのバスレフポート３０Ｄ部分の構成を示す断面図である。
【発明を実施するための形態】
【００１３】
以下、図面を参照し、この発明の実施形態について説明する。
＜第１実施形態＞
図１は、この発明の第１実施形態であるバスレフポート３０を含む音響装置１の構成を示す断面図である。音響装置１は、外部装置から供給される音響信号に応じた音を放射する装置であり、具体的には、バスレフスピーカである。音響装置１は、音響装置１の筐体であるエンクロージャ１０、振動板やボイスコイル等からなるスピーカユニット２０およびバスレフポート３０を有する。
【００１４】
エンクロージャ１０は、複数の板材で構成された中空の構造体（典型的には直方体）である。エンクロージャ１０を構成する複数の板材のうちの板材１２には、スピーカユニット２０が固定されている。この板材１２は、バッフル面として機能する。板材１２には、板材１２を貫通する円形の開口１４が設けられている。本実施形態におけるエンクロージャ１０は複数の板材で構成されているが、エンクロージャ１０は射出成型等による樹脂成型品であっても良い。また、本実施形態では、音響装置１においてバッフル面として機能する板材（すなわち、板材１２）に開口１４が設けられているが、エンクロージャ１０の背面や側面など、バッフル面以外の面に開口１４を設けても良い。また、開口１４の形状は円形には限定されず、他の形状であっても良い。
【００１５】
バスレフポート３０は、中空の略円筒状の管体であり、エンクロージャ１０内に配置される。バスレフポート３０の両端は、開口している。バスレフポート３０の一方の開口端は板材１２の開口１４の周縁に固定されている。バスレフポート３０の他方の開口端は、エンクロージャ１０内において開口している。エンクロージャ１０内の空間とエンクロージャ１０外の空間は、バスレフポート３０および開口１４を介して繋がっている。このため、エンクロージャ１０内外の空気は、バスレフポート３０内を通過する。
【００１６】
本明細書では、バスレフポート３０における管の中心となる線を管軸と呼ぶ。また、本明細書では、バスレフポート３０の両端のうち開口１４の周縁に固定される方を外部側と呼び、エンクロージャ１０内において開口する方を内部側と呼ぶ。また、本明細書では、バスレフポート３０の両端の各々において、その開口端から管軸方向に所定の領域を端部と呼ぶ。また、バスレフポート３０の管軸方向の中央における管軸方向に所定の領域を中央部と呼ぶ。
【００１７】
図２は、バスレフポート３０の構成を示す断面図である。バスレフポート３０は、第１の管体３２、第２の管体３４およびシート状部材３６により構成される。第１の管体３２は、その一端から他端に亙って内径および外径が略一定に維持された円筒形状（以下、直管形状と呼ぶ）の管状部材である。第１の管体３２は、例えば、再生紙などの紙素材から形作られた紙管である。なお、第１の管体３２の構成素材は紙には限定されず、樹脂などであっても良い。
【００１８】
第２の管体３４は、第１の管体３２の外径と同程度の内径を有する直管形状の管状部材である。第２の管体３４を形成する素材は、例えば合成樹脂である。第２の管体３４の長さは、第１の管体３２の長さよりも短い。第２の管体３４の一端には、フランジ３５が設けられている。
【００１９】
第１の管体３２は、その一端側が第２の管体３４内に収容され、第１の管体３２の外壁面と第２の管体３４の内壁面との間に適度な摩擦力をもって第２の管体３４に固定される。第１の管体３２が第２の管体３４に固定された状態で、第１の管体３２の他端側は、第２の管体３４のフランジ３５が設けられている端とは反対側端から第２の管体３４外に突出する。第２の管体３４のフランジ３５は、板材１２（バッフル面）の開口１４の周縁に固定される。
【００２０】
第１の管体３２には、第１の管体３２におけるバッフル面とは反対側の先端３３から第１の管体３２の延長方向に突出するシート状部材３６が設けられている。シート状部材３６を形成する素材は、例えばフェルトであり、シート状部材３６の剛性は、第１の管体３２の剛性よりも小さい。シート状部材３６は、第１の管体３２の周方向に亙って広がっており、第１の管体３２を延長させた位置に配置される管を形成する。
【００２１】
シート状部材３６は、第１の管体３２の先端３３を覆い隠すように設けられている。より詳細には、シート状部材３６は、その一部が第１の管体３２の内壁面に固定されている。図２の例では、第１の管体３２の内壁面全体に亙ってシート状部材３６が固定されている。シート状部材３６は、第１の管体３２の先端３３から第１の管体３２の延長方向に突出して延び、第１の管体３２の先端３３とシート状部材３６とによって空間３８が形成されるように折り返され、延びた先の部分が第１の管体３２の外壁面に固定される。シート状部材３６の第１の管体３２への固定方法は、例えば、両面テープを用いた方法が挙げられる。シート状部材３６における第１の管体３２の外壁面に貼り付けられる部分が剥がれないように結束バンドなどを巻きつけて補っても良い。このように、バスレフポート３０では、第１の管体３２の先端３３から延長方向にはみ出るようにシート状部材３６が固定されている。これにより、バスレフポート３０では、シート状部材３６の折り返し部分がバスレフポート３０の内部側端となっている。
【００２２】
第１の管体３２（より正確には、第１の管体３２の内壁面に固定されたシート状部材３６を含む）における第２の管体３４に収容された部分と第２の管体３４は、バスレフポート３０における外部側の端部の壁面を構成する。第１の管体３２（より正確には、第１の管体３２の内壁面に固定されたシート状部材３６を含む）における第２の管体３４から突出する部分は、バスレフポート３０における中央部の壁面を構成する。シート状部材３６における第１の管体３２から突出する部分は、バスレフポート３０における内部側の端部の壁面を構成する。バスレフポート３０では、シート状部材３６（フェルト）の剛性が第１の管体３２（紙管）の剛性よりも小さいため、バスレフポート３０における内部側の端部の壁面の剛性が中央部の壁面の剛性よりも小さくなっている。このため、バスレフポート３０では、内部側の端部の壁面が変形し易い。
【００２３】
バスレフポート３０では、内部側端においてシート状部材３６が折り返されている。このため、バスレフポート３０では、その折り返されている部分において、僅かではあるが、シート状部材３６によって包囲された領域の面積が内部側端に進むに従って広がるフレア形状になっている。
【００２４】
図３は、バスレフポート３０の構成を示す側面図である。シート状部材３６における外壁面となる部分（換言すると、折り返されて２層になったシート状部材３６の外層部分）には、第１の管体３２の延長方向に沿った切り込み３９が周方向に複数本設けられている。このため、バスレフポート３０の製造時に、内壁面に固定されたシート状部材３６は、第１の管体３２の外壁面に向かってきれいに折り返され、第１の管体３２の外壁面に容易に固定される。一方、バスレフポート３０では、シート状部材３６の内壁面となる部分（換言すると、折り返されて２層になったシート状部材３６の内層部分）には、外壁面となる部分の切り込み３９のような切り込みは設けられていない。
以上が、バスレフポート３０を含む音響装置１の構成である。
【００２５】
スピーカユニット２０の振動板の振動によってエンクロージャ１０内の空気が振動すると、エンクロージャ１０内（バスレフポート３０外）やバスレフポート３０内に空気の圧力の分布が生じる。この空気の圧力分布は、スピーカユニット２０の振動板の振動に応じて時々刻々と変化する。音響装置１では、このような空気の圧力分布が生じるため、バスレフポート３０内外に空気の圧力差が生じる。典型的には、バスレフポート３０内の空気の圧力とエンクロージャ１０内の空気の圧力とに差が生じる。そして、エンクロージャ１０の内外の空気がバスレフポート３０内を通過する。
【００２６】
上述のように、バスレフポート３０は、内部側の端部の壁面の剛性が中央部の壁面の剛性よりも小さい。このため、バスレフポート３０では、剛性の小さい内部側の端部（特にシート状部材３６）が空気の圧力差に応じてバスレフポート３０の径方向、周方向、管軸方向およびそれら各方向の合成方向にランダムに動く。その結果、バスレフポート３０（特にシート状部材３６）が変形する。空気の圧力差に応じてバスレフポート３０が変形すると、内部側の内壁面の形が各位置および各瞬間でランダムに変化することとなる。これにより、バスレフポート３０の内壁面近傍の空気の流速分布が乱れ、渦が発生する位置やタイミングがランダムに変化する。すなわち、バスレフポート３０では、空気の圧力差に応じて渦が発生する位置やタイミングが集中せずに動的に分散される。このため、バスレフポート３０では、従来のバスレフポートに比べ、渦が成長するのを抑えることができる。
【００２７】
このように、バスレフポート３０によれば、渦が発生する位置やタイミングを動的に分散させて渦の成長を抑えることができるため、従来のバスレフポートに比べ、渦に起因して発生する異音を十分に低減することができる。すなわち、バスレフポート３０を備えた音響装置１によれば、バスレフポート３０内に空気が流れることで発生する異音を十分に低減することができる。
【００２８】
本実施形態のバスレフポート３０では、渦が発生する位置やタイミングが、時々刻々と変化する空気の圧力差に応じて動的に変化する。例えば、ある時刻では、バスレフポート３０の端部における中央寄りの位置で渦が発生し、それとは異なる別の時刻では、バスレフポート３０の端部における開口端寄りの位置で渦が発生する、という具合である。バスレフポート３０の端部における中央寄りの位置の渦に起因する音の周波数と、バスレフポート３０の端部における開口端寄りの位置の渦に起因する音の周波数は異なる。このように、本実施形態のバスレフポート３０では、渦の発生位置やタイミングが分散されるため、特定の位置やタイミングに渦の発生が集中することに起因する異音が顕著になることはなく、連続スペクトルのような所定の周波数範囲の複数の周波数の異音を低減することができる。この点からも、本実施形態のバスレフポート３０によれば、従来のバスレフポートに比べ、バスレフポート内に空気が流れることでバスレフポートから発生する異音を十分に低減することができる。
【００２９】
本実施形態のバスレフポート３０では、空間３８が形成されるようにシート状部材３６を第１の管体３２の先端３３から突出させている。これにより、バスレフポート３０の内部側の壁面を空気の圧力差に応じて適度に変形させるのに好ましい柔らかさにすることができる。
【００３０】
本実施形態のバスレフポート３０のシート状部材３６には、外壁面となる部分に切り込み３９が設けられていた。バスレフポート３０では、この切り込み３９が設けられていることにより、切り込み３９が設けられていない場合に比べ、シート状部材３６を第１の管体３２に固定し易いという効果が得られるだけでなく、シート状部材３６が変形し易くなるため、異音の低減効果を高くすることができるという効果も得られる。
【００３１】
本実施形態では、シート状部材３６の好適な例としてフェルトを挙げたが、シート状部材３６はフェルトには限られず、シート状の樹脂等であっても良い。要は、第１の管体３２の構成素材よりも剛性の小さい素材でシート状部材３６を構成する態様であれば良い。また、本実施形態では第１の管体３２の内壁面全体にシート状部材３６が固定されていたが、第１の管体３２の内壁面の一部にシート状部材３６が固定されていても良い。また、折り返されたシート状部材３６を第１の管体３２の外壁面の一部に固定するのではなく、第１の管体３２の外壁面の全体に固定しても良い。
【００３２】
＜第２実施形態＞
図４は、この発明の第２実施形態であるバスレフポート３０Ａを含む音響装置１Ａのバスレフポート３０Ａ部分の構成を示す断面図である。音響装置１Ａは、バスレフポート３０Ａの他は第１実施形態の音響装置１と同様である。
【００３３】
バスレフポート３０Ａは、内壁面により包囲された領域の面積が外部側端から内部側端に亙って略一定に維持された直管形状となっている。バスレフポート３０Ａは、バスレフポート３０Ａの中央部の壁面および外部側の壁面を構成する第１の管体３２Ａと、内部側の壁面を構成する第２の管体３６Ａとにより構成される。第１の管体３２Ａを形成する素材と第２の管体３６Ａを形成する素材は同じものであり、第１の管体３２Ａと第２の管体３６Ａとは、例えば、一体成形によって作られる。第２の管体３６Ａの壁面の厚さは、第１の管体３２Ａの壁面の厚さよりも薄い。すなわち、バスレフポート３０Ａは、内部側の端部の壁面の厚さを中央部の壁面よりも薄くすることで、内部側の端部の壁面の剛性を中央部の壁面の剛性よりも小さくしたものである。
【００３４】
バスレフポート３０Ａでは、第１実施形態のシート状部材３６が設けられていない。しかし、バスレフポート３０Ａは、内部側の端部の壁面の剛性を中央部の壁面の剛性よりも小さくした点においてバスレフポート３０と同様である。このため、バスレフポート３０Ａでは、バスレフポート３０と同様に、空気の圧力差に応じて内部側の端部がランダムに動き、バスレフポート３０Ａが変形する。従って、本実施形態においても、第１実施形態と同様の効果が得られる。本実施形態では、第１の管体３２Ａと第２の管体３６Ａを同じ素材で構成し、第２の管体３６Ａの壁面の厚さを第１の管体３２Ａの壁面の厚さよりも薄くすることで、バスレフポート３０Ａの内部側の端部の壁面の剛性を中央部の壁面の剛性よりも小さくした。しかし、第２の管体３６Ａの壁面の厚さを第１の管体３２Ａの壁面の厚さよりも薄くすることでバスレフポート３０Ａの内部側の端部の壁面の剛性を中央部の壁面の剛性よりも小さくすることができるのであれば、第１の管体３２Ａの構成素材と第２の管体３６Ａの構成素材とが異なっていても良い。
【００３５】
＜第３実施形態＞
図５は、この発明の第３実施形態であるバスレフポート３０Ｂを含む音響装置１Ｂのバスレフポート３０Ｂ部分の構成を示す断面図である。音響装置１Ｂは、バスレフポート３０Ｂの他は第１実施形態の音響装置１と同様である。
【００３６】
バスレフポート３０Ｂは、第２実施形態のバスレフポート３０Ａと同様に、外部側端から内部側端に亙って直管形状となっている。バスレフポート３０Ｂは、バスレフポート３０Ｂの中央部の壁面および外部側の端部の壁面を構成する第１の管体３２Ｂと、内部側の端部の壁面を構成する第２の管体３６Ｂとにより構成される。第１の管体３２Ｂの壁面および第２の管体３６Ｂの壁面は、同じ厚さとなっている。第２の管体３６Ｂは、第１の管体３２Ｂを形成する素材よりも柔軟な素材によって構成される。第２の管体３６Ｂは、第１の管体３２Ｂに接着剤などで固定されている。すなわち、バスレフポート３０Ｂは、内部側の端部の壁面を形成する素材を中央部の壁面を形成する素材よりも柔軟な素材にすることで、内部側の端部の壁面の剛性を中央部の壁面の剛性よりも小さくしたものである。
【００３７】
バスレフポート３０Ｂでは、第２実施形態と同様に、第１実施形態のシート状部材３６が設けられていない。しかし、バスレフポート３０Ｂは、第２実施形態と同様に、内部側の端部の壁面の剛性を中央部の壁面の剛性よりも小さくした点において第１実施形態のバスレフポート３０と同様である。このため、バスレフポート３０Ｂでは、バスレフポート３０と同様に、空気の圧力差に応じて内部側の端部がランダムに動き、バスレフポート３０Ｂが変形する。従って、本実施形態においても、第１実施形態と同様の効果が得られる。
【００３８】
＜第４実施形態＞
図６は、この発明の第４実施形態であるバスレフポート３０Ｃを含む音響装置１Ｃのバスレフポート３０Ｃ部分の構成を示す断面図である。音響装置１Ｃは、バスレフポート３０Ｃの他は第１実施形態の音響装置１と同様である。
【００３９】
バスレフポート３０Ｃは、バスレフポート３０Ａおよび３０Ｂと同様に、外部側端から内部側端に亙って直管形状となっている。バスレフポート３０Ｃは、バスレフポート３０Ｃの中央部の壁面および内部側の端部の壁面を構成する第１の管体３２Ｃと、外部側の端部の壁面を構成する第２の管体３６Ｃとにより構成される。第２の管体３６Ｃは、板材１２の開口１４の周縁に接着剤などで固定される。第１の管体３２Ｃの壁面および第２の管体３６Ｃの壁面は、同じ厚さとなっている。第２の管体３６Ｃは、第１の管体３２Ｃを形成する素材よりも柔軟な素材によって構成される。第２の管体３６Ｃは、第１の管体３２Ｃに接着剤などで固定されている。すなわち、バスレフポート３０Ｃは、外部側の端部の壁面を形成する素材を中央部の壁面を形成する素材よりも柔軟な素材にすることで、外部側の端部の壁面の剛性を中央部の壁面の剛性よりも小さくしたものである。
【００４０】
バスレフポート３０Ｃは、バスレフポート３０Ｃ内外の境界近傍であるバスレフポート３０Ｃの端部の壁面の剛性を中央部の壁面の剛性よりも小さくした点において第１〜第３実施形態のバスレフポート３０〜３０Ｂと同様である。このため、バスレフポート３０Ｃでは、バスレフポート３０と同様に、空気の圧力差に応じて外部側の端部がランダムに動き、バスレフポート３０Ｃが変形する。従って、本実施形態においても、第１実施形態と同様の効果が得られる。
【００４１】
バスレフポート３０Ｃの第２の管体３６Ｃは、その壁面が空気の圧力差に応じて変形可能であり、かつ、バスレフポート３０Ｃが板材１２に対して自立して維持される程度の剛性を有するのが好ましい。
【００４２】
第２の管体３６Ｃは、中央部の壁面の剛性よりも剛性が小さい第１の剛性領域と、第１の剛性領域よりも剛性が大きい第２の剛性領域とが、第２の管体３６Ｃの周方向に沿って繰り返された構成となっていても良い。この態様によれば、第２の管体３６Ｃにおける第１の剛性領域部分が空気の圧力差に応じてランダムに動き、バスレフポート３０Ｃが変形可能であるとともに、第２の管体３６Ｃにおける第２の剛性領域部分によってバスレフポート３０Ｃを自立して維持することができる。
【００４３】
＜第５実施形態＞
図７は、この発明の第５実施形態であるバスレフポート３０Ｄを含む音響装置１Ｄのバスレフポート３０Ｄ部分の構成を示す断面図である。音響装置１Ｄは、バスレフポート３０Ｄの他は第１実施形態の音響装置１と同様である。
【００４４】
バスレフポート３０Ｄは、シート状部材３６に代えてシート状部材３６Ｄを有する点において第１実施形態のバスレフポート３０と異なる。シート状部材３６Ｄは、その一部が第１の管体３２の内壁面に固定され、第１の管体３２の先端３３から第１の管体３２の延長方向に突出して延びている。バスレフポート３０Ｄでは、シート状部材３６Ｄの突出した先端がバスレフポート３０Ｄの内部側端となる。シート状部材３６Ｄにおける第１の管体３２から突出する部分は、バスレフポート３０Ｄの内部側の端部の壁面を構成する。
【００４５】
バスレフポート３０Ｄでは、シート状部材３６Ｄが内部側端で折り返されてはいない。しかし、バスレフポート３０Ｄは、第１の管体３２の先端３３からシート状部材３６Ｄをはみ出させて内部側の端部の壁面をシート状部材３６Ｄで構成することで、内部側の端部の壁面の剛性を中央部の壁面の剛性よりも小さくした点においてバスレフポート３０と同様である。このため、バスレフポート３０Ｄでは、バスレフポート３０と同様に空気の圧力差に応じて内部側の端部のシート状部材３６Ｄがランダムに動き、バスレフポート３０Ｄが変形する。従って、本実施形態においても、第１実施形態と同様の効果が得られる。
【００４６】
＜他の実施形態＞
以上、この発明の第１〜第５実施形態について説明したが、この発明には他にも実施形態が考えられる。例えば次の通りである。
【００４７】
（１）第１〜第３および第５実施形態のバスレフポート３０〜３０Ｂおよび３０Ｄでは、内部側の端部の壁面の剛性を中央部の壁面の剛性よりも小さくしており、第４実施形態のバスレフポート３０Ｃでは、外部側の端部の壁面の剛性を中央部の壁面の剛性よりも小さくしていた。しかし、剛性を小さくする位置は、これらの位置に限らない。すなわち、この発明によるバスレフポートは、壁面の少なくとも一部の剛性が他の部分よりも小さければ良い。壁面の少なくとも一部の剛性が小さければ、その剛性の小さい部分が空気の圧力差に応じて動き、バスレフポートが変形するからである。そして、その剛性の小さい部分が変形すれば、その剛性の小さい部分の内壁面近傍の空気の流速分布が動的に乱されるため、渦が発生する位置やタイミングが集中せずに分散される。このように、バスレフポートの壁面の少なくとも一部の剛性を他の部分よりも小さくすることで、各実施形態と同様に、バスレフポート内に空気が流れることで発生する異音を低減することができる。
【００４８】
（２）この発明によるバスレフポートは、壁面の少なくとも一部の剛性が他の部分よりも小さければ良いが、バスレフポートの少なくとも一方の端部の壁面の剛性を中央部の壁面の剛性よりも小さくするのが好ましい。第１の理由は、剛性の小さい部分が中央よりも端部に有る方がその剛性の小さい部分が動き易いからである。第２の理由は、バスレフポートから空気が流出する端部の方が中央に比べて渦が発生し易い傾向にあり、渦の発生する位置やタイミングを分散させる効果が中央に比べて端部の方が高いからである。また、外部側の端部の壁面の剛性を中央部の壁面の剛性よりも小さくする態様よりも、内部側の端部の壁面の剛性を中央部の壁面の剛性よりも小さくする態様の方が異音を低減する効果が高い。第１の理由は、外部側の端部に比べ内部側の端部の方がバッフル面に支えられていない分だけ動き易いからである。第２の理由は、バッフル面に連続する外部側の端部に比べ、バッフル面に連続していない内部側の端部において渦が発生し易い傾向にあり、渦の発生する位置やタイミングを分散させる効果が大きいからである。また、この発明によるバスレフポートでは、一方の端部の壁面の剛性を中央部の壁面の剛性よりも小さくする態様に限らず、両方の端部の壁面の剛性を中央部の壁面の剛性よりも小さくしても良い。
【００４９】
（３）剛性を小さくする具体的な態様は、各実施形態の態様に限らない。例えば、第１実施形態のバスレフポート３０において、シート状部材３６の切り込み３９を外壁となる部分だけでなく内壁となる部分にも設けても良い。この態様によれば、シート状部材３６の壁面の剛性が第１実施形態のそれよりも小さくなり、シート状部材３６がより変形し易くなると思われる。
【００５０】
（４）第１実施形態のバスレフポート３０のシート状部材３６の外壁面となる部分には切り込み３９が設けられていた。しかし、このような切り込み３９は、必須ではない。
【００５１】
（５）バスレフポートにおいて、剛性の小さい端部の壁面を構成する部分を、剛性の大きい中央部に対して着脱可能に構成しても良い。
【００５２】
（６）第１実施形態のバスレフポート３０は、シート状部材３６の折り返し部分を除いて直管形状となっていた。しかし、バスレフポート３０の内部側の端部は、第１の管体３２の先端３３から内部側端に亙ってフレア形状になっていても良い。また、バスレフポート３０の内部側の端部に限らず、バスレフポート３０の外部側の端部がフレア形状になっていても良い。また、バスレフポート３０の一方の端部に限らず、両方の端部がフレア形状になっていても良い。また、第２〜第５実施形態のバスレフポート３０Ａ〜３０Ｄにおいても同様に、バスレフポート３０Ａ〜３０Ｄの内部側や外部側の端部がフレア形状になっていても良い。
【００５３】
（７）バスレフポートの端部の壁面は、内壁面を構成する内層部材と外壁面を構成する外層部材とからなる多層構造となっていても良い。この場合、空気の圧力差に応じて少なくとも内層部材が動き、バスレフポートが変形可能なように、少なくとも内層部材の剛性を中央部の壁面の剛性よりも小さくすれば良い。
【００５４】
（８）各実施形態の技術的特徴を適宜組み合わせても良い。
【００５５】
（９）各形態の音響装置として市場に提供するだけでなく、各形態の音響装置に採用されるバスレフポート単体で市場に提供しても良い。バスレフポートを音響装置に取り付けることで各形態の音響装置を実現することができるからである。また、各形態の音響装置を電子鍵盤楽器などの楽器に搭載して市場に提供しても良い。
【符号の説明】
【００５６】
１，１Ａ，１Ｂ，１Ｃ，１Ｄ…音響装置、１０…エンクロージャ、１２…板材、１４…開口、２０…スピーカユニット、３０，３０Ａ，３０Ｂ，３０Ｃ，３０Ｄ…バスレフポート、３２，３２Ａ，３２Ｂ，３２Ｃ，３２Ｄ…第１の管体、３３…先端、３４，３６Ａ，３６Ｂ，３６Ｃ…第２の管体、３６，３６Ｄ…シート状部材、３８…空間、３９…切り込み。
【図１】
0006709537.tif 000002
【図２】
0006709537.tif 000003
【図３】
0006709537.tif 000004
【図４】
0006709537.tif 000005
【図５】
0006709537.tif 000006
【図６】
0006709537.tif 000007
【図７】
0006709537.tif 000008